(57)【要約】【課題】ヒートブリッジの発生を抑制して断熱性能の向上を図ることができる自動販売機を提供すること。【解決手段】平板状のコア２１１がフィルム２１２に被包されてその内部が減圧されて成る真空断熱材２１０を有する断熱パネル２１が、本体キャビネット１０の内部に配設されることで構成された商品収容庫２３を備え、商品収容庫２３に収納された商品を所望の温度状態に維持して販売する自動販売機において、断熱パネル２１は、真空断熱材２１０のフィルム２１２のみで構成されるヒレ部分２１２ａ，２１２ｂが本体キャビネット１０の内面に対向する外面側に折り曲げられて形成されるものであり、本体キャビネット１０の内面との間に空気の対流を抑制する寸法の空気層７０を形成するスペーサ部材６０が外面に設けられている。【選択図】図７
2014120135.tif 000002
【特許請求の範囲】
【請求項１】
平板状の芯材が外被材に被包されてその内部が減圧されて成る真空断熱材を有する断熱パネルが、自動販売機本体の内部に配設されることで構成された商品収容庫を備え、
該商品収容庫に収納された商品を所望の温度状態に維持して販売する自動販売機において、
前記断熱パネルは、前記真空断熱材の前記外被材のみで構成されるヒレ部分が前記自動販売機本体の内面に対向する外面側に折り曲げられて形成されるものであり、前記自動販売機本体の内面との間に空気の対流を抑制する寸法の空気層を形成するスペーサ部材が前記外面に設けられたことを特徴とする自動販売機。
【請求項２】
前記スペーサ部材は、
上下方向若しくはこれと直交する方向が長手方向となる長尺状の形態を成し、かつ長手方向と直交する方向に沿って互いに離隔する態様で並設された一対の第１スペーサ部と、
前記第１スペーサ部の長手方向と直交する方向が長手方向となる長尺状の形態を成し、かつそれぞれが前記第１スペーサ部の間において該第１スペーサ部の長手方向に沿って所定間隔毎に配設された第２スペーサ部と
を備えたことを特徴とする請求項１に記載の自動販売機。
【発明の詳細な説明】
【技術分野】
【０００１】
本発明は、自動販売機に関し、より詳細には、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機においては、自動販売機本体である金属製の本体キャビネットの内部に真空断熱材（ＶＩＰ：Vacuum  Insulation  Panel）から成る断熱パネルが配設されることで、断熱構造の商品収容庫を備えたものが知られている（例えば、特許文献１参照）。
【０００３】
このような真空断熱材から成る断熱パネルにより商品収容庫が構成された自動販売機は、断熱性能の向上が図られることで、商品収容庫の冷却効率や保温効率の向上を図ることができ、省エネルギー化を図る観点からも非常に優位なものである。
【先行技術文献】
【特許文献】
【０００４】
【特許文献１】特開２０１２−０２１６２１号公報
【発明の概要】
【発明が解決しようとする課題】
【０００５】
ところで、断熱パネルは、平板状のガラス繊維等の芯材が例えばポリアミド等の外被材に被包されてその内部が減圧されて成る真空断熱材において、外被材のみで構成されるヒレ部分が該真空断熱材の表面及び裏面の一方側に折り曲げられることにより矩形状に形成されるものである。真空断熱材を構成する外被材は、ガスバリア性能を確保する観点から例えばアルミ箔からなるガスバリア層を有しており、これにより断熱パネルは、真空断熱材の表面及び裏面の一方側に折り曲げられたヒレ部分を含む端部で熱を伝達してしまいやすいという特性を有している。
【０００６】
そのため、断熱パネルが本体キャビネットの内面に密着させるように配設されてしまうと、本体キャビネットは金属製であることから、断熱パネルの端部及び本体キャビネットを通じて商品収容庫の内部と外部との間で熱が伝達するいわゆるヒートブリッジが生じてしまい、断熱性能の低下を招来する虞れがあった。
【０００７】
本発明は、上記実情に鑑みて、ヒートブリッジの発生を抑制して断熱性能の向上を図ることができる自動販売機を提供することを目的とする。
【課題を解決するための手段】
【０００８】
上記目的を達成するために、本発明に係る自動販売機は、平板状の芯材が外被材に被包されてその内部が減圧されて成る真空断熱材を有する断熱パネルが、自動販売機本体の内部に配設されることで構成された商品収容庫を備え、該商品収容庫に収納された商品を所望の温度状態に維持して販売する自動販売機において、前記断熱パネルは、前記真空断熱材の前記外被材のみで構成されるヒレ部分が前記自動販売機本体の内面に対向する外面側に折り曲げられて形成されるものであり、前記自動販売機本体の内面との間に空気の対流を抑制する寸法の空気層を形成するスペーサ部材が前記外面に設けられたことを特徴とする。
【０００９】
また、本発明は、上記自動販売機において、前記スペーサ部材は、上下方向若しくはこれと直交する方向が長手方向となる長尺状の形態を成し、かつ長手方向と直交する方向に沿って互いに離隔する態様で並設された一対の第１スペーサ部と、前記第１スペーサ部の長手方向と直交する方向が長手方向となる長尺状の形態を成し、かつそれぞれが前記第１スペーサ部の間において該第１スペーサ部の長手方向に沿って所定間隔毎に配設された第２スペーサ部とを備えたことを特徴とする。
【発明の効果】
【００１０】
本発明によれば、断熱パネルと自動販売機本体の間にスペーサ部材が介在することで、これらの間に空気の対流を抑制する厚みの空気層を形成することができるので、かかる空気層が断熱層として形成し、断熱性能の向上を図ることができる。しかも、ヒレ部分は、自動販売機本体の内面に対向する外面に折り曲げられており、これにより、断熱パネルの内面は送風手段等により空気が積極的に循環されているために空気が対流しているが、断熱パネルの外面では空気の対流が抑制されているため、かかるヒレ部分を含む断熱パネルの端部での熱伝達（ヒートブリッジ）の発生を抑制することができる。従って、ヒートブリッジの発生を抑制して断熱性能の向上を図ることができるという効果を奏する。
【図面の簡単な説明】
【００１１】
【図１】図１は、本発明の実施の形態である自動販売機を概念的に示す概念図である。
【図２】図２は、図１に示した自動販売機の本体キャビネット及び商品収容室の構成を示す概念図である。
【図３】図３は、図１に示した本体キャビネットの内部における１つの商品収容庫の内部構造を示す断面側面図である。
【図４】図４は、図２に示した断熱パネルを形成する真空断熱材を示すもので、（ａ）は正面図、（ｂ）は平面図、（ｃ）は側面図である。
【図５】図５は、図４に示した真空断熱材より形成される断熱パネルを示すもので、（ａ）は正面図、（ｂ）は平面図、（ｃ）は側面図である。
【図６】図６は、本体キャビネットの一対の側壁に配設される断熱パネルを示すもので、側壁から見た場合を示す説明図である。
【図７】図７は、本体キャビネットの要部を拡大して示す拡大横断面図である。
【発明を実施するための形態】
【００１２】
以下に添付図面を参照して、本発明に係る自動販売機の好適な実施の形態について詳細に説明する。
【００１３】
図１は、本発明の実施の形態である自動販売機を概念的に示す概念図である。ここで例示する自動販売機は、例えば缶入り飲料やペットボトル入り飲料等の商品を冷却、若しくは加熱した状態で販売するもので、本体キャビネット１０、外扉３０及び内扉４０を備えている。
【００１４】
本体キャビネット１０は、図２に示すように、複数の金属板を適宜組み合わせることによって構成された自動販売機本体であり、前面が開口した箱状に構成されている。より具体的には、上壁１１、一対の側壁１２、底壁１３、背壁１４が接合されることによって本体キャビネット１０が構成されている。一対の側壁１２は、それぞれ底壁１３よりも下方に延在しており、互いの間に台座壁１５が接合されている。
【００１５】
本体キャビネット１０には、その内部に断熱構造の商品収容室２０が設けられている。本実施の形態では、図２に示すように、上壁１１、一対の側壁１２、底壁１３、背壁１４の内壁面を覆う態様で断熱パネル２１が配設されることにより、これら断熱パネル２１によって囲まれる空間に商品収容室２０が構成されている。
【００１６】
そして、商品収容室２０に対して前方側より例えば２つの断熱仕切板２２が挿入されることで、本体キャビネット１０の内部に３つの独立した商品収容庫２３が左右に並んだ態様で設けられている。つまり、商品収容庫２３は、断熱パネル２１が、本体キャビネット（自動販売機本体）１０の内部に配設されることで構成されている。
【００１７】
図３は、図１に示した本体キャビネット１０の内部における１つの商品収容庫２３の内部構造を示す断面側面図である。この図３では、最も左側にある商品収容庫（以下、左庫ともいう）２３の内部構造について示すが、中央の商品収容庫２３及び右側の商品収容庫２３の内部構造も左庫２３と略同じような構成を有している。尚、本明細書における左側とは、自動販売機を正面側から見た場合の左方を示し、右側とは、自動販売機を正面側から見た場合の右方を示す。
【００１８】
左庫２３の内部には、搬出シュータ２４が設けられており、この搬出シュータ２４よりも下方となる領域（以下、「熱交換領域」ともいう）に温度調節ユニット２５が配設されている一方、搬出シュータ２４よりも上方となる領域（以下、「商品収納領域」ともいう）に商品収納ラック２８が配設されている。
【００１９】
搬出シュータ２４は、商品収納ラック２８から払い出された商品を内扉４０（下部内扉４０ａ）の商品搬出口４３に案内するためのプレート状部材であり、前方側に向けて漸次下方に傾斜する態様で配設されている。この搬出シュータ２４には、熱交換領域と商品収納領域との間を連通させる通気孔が多数穿設してある。
【００２０】
温度調節ユニット２５は、左庫２３の内部雰囲気を所望の温度状態に維持するためのもので、蒸発器２５ａ、電熱ヒータ２５ｂ及び庫内送風ファン２５ｃを備えて構成されている。
【００２１】
蒸発器２５ａは、圧縮機２６１、放熱器２６２及び膨張弁２６３と冷媒配管２７にて接続されて冷凍サイクルを構成するものであり、自身の流路を通過する冷媒が蒸発することで周囲空気を冷却するものである。ここで、圧縮機２６１、放熱器２６２及び膨張弁２６３は、本体キャビネット１０の内部であって商品収容室２０の下方に区画された機械室１６に配設されている。
【００２２】
電熱ヒータ２５ｂは、蒸発器２５ａの前方域に配設されており、通電状態となることにより自身の周囲空気を加熱する加熱源である。庫内送風ファン２５ｃは、左庫２３（商品収容庫２３）の内部空気を循環させるための送風手段である。
【００２３】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック２８（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック２８（商品収納領域）を高温状態に維持することができる。
【００２４】
外扉３０は、本体キャビネット１０の前面開口を覆うためのもので、本体キャビネット１０の左側縁部に開閉移動可能に配設されている。外扉３０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口３１が設けられている。
【００２５】
また、この外扉３０には商品取出部３２が設けられている。商品取出部３２は、商品収容庫２３における商品収納ラック２８から払い出されて内扉４０の商品搬出口４３を通過した商品を収容し、かつ商品取出口３１を通じて該商品を取出可能にするものである。
【００２６】
内扉４０は、商品収容庫２３（商品収容室２０）の前面を覆うための断熱扉で、外扉３０よりも内方となる位置において本体キャビネット１０の一側縁部に開閉可能に配設されている。この内扉４０は、上下に分割された構造を有しており、商品収容庫２３（商品収容室２０）の前面開口の下部側を覆う下部内扉４０ａと、商品収容庫２３（商品収容室２０）の前面開口の上部側を覆う上部内扉４０ｂとから構成されている。
【００２７】
下部内扉４０ａは、図１及び図３に示すように、各商品収容庫２３に対応した部位に商品搬出扉４４を備えた商品搬出口４３が形成されており、商品収納ラック２８から商品が搬出シュータ２４に払い出された場合に、商品搬出口４３を通じて商品を商品取出部３２に搬出することが可能である。
【００２８】
上部内扉４０ｂは、外扉３０の内方となる位置において本体キャビネット１０の一側縁部に開閉可能に配設されており、支持部材５０を介して外扉３０の裏面に取付支持されている。この上部内扉４０ｂは、外扉３０とともに開閉移動するものである。
【００２９】
このような自動販売機における断熱パネル２１は、真空断熱材（ＶＩＰ）２１０により構成されている。真空断熱材２１０は、図４に示すように、例えばガラス繊維等の熱伝導性が低い材料からなる平板状のコア（芯材）２１１を例えばポリアミド等のフィルム（外被材）２１２にて被包して脱気密封した矩形状のものである。かかる真空断熱材２１０においては、製造工程の特性上、外縁部にフィルム２１２のみにより構成されるヒレ部分２１２ａ，２１２ｂが形成される。より詳細には、コア２１１の長辺に沿って延びるフィルム２１２のみにより構成される長辺側ヒレ部分２１２ａと、コア２１１の短辺に沿って延びるフィルム２１２のみにより構成される短辺側ヒレ部分２１２ｂとが形成される。かかる真空断熱材２１０は、図５に示すように、長辺側ヒレ部分２１２ａと、短辺側ヒレ部分２１２ｂとを順に、本体キャビネット１０の内面と対向する外面側のコア被覆部分２１１ｃに折り重ねることにより断熱パネル２１として用いられることになる。
【００３０】
図６は、本体キャビネット１０の一対の側壁１２に配設される断熱パネル２１を示すもので、側壁１２から見た場合を示す説明図である。この図６に示すように、断熱パネル２１の外面、すなわち側壁１２の内面に対向する面には、コア被覆部分２１１ｃに断熱性のクッション材から成るスペーサ部材６０が配設されている。
【００３１】
スペーサ部材６０は、第１スペーサ部６１と第２スペーサ部６２とを備えて構成されている。第１スペーサ部６１は、上下方向が長手方向となる長尺状の直方体形状を成し、かつ上下方向と直交する方向（前後方向）に沿って互いに離隔する態様で並設されている。第２スペーサ部６２は、第１スペーサ部６１の長手方向（上下方向）と直交する方向が長手方向となる長尺状の直方体形状を成している。これら第２スペーサ部６２は、それぞれが第１スペーサ部６１の間において一対の第１スペーサ部６１を互いに連結する様態で該第１スペーサ部６１の長手方向（上下方向）に沿って所定間隔毎に配設されている。
【００３２】
このような第１スペーサ部６１及び第２スペーサ部６２の断熱パネル２１からの突出高さは、本体キャビネット１０の側壁１２の内面との間に空気の対流を抑制する寸法（厚みｍ）の空気層７０（図７参照）を形成することができるのに必要十分な大きさを有しており、具体的には例えば３〜６ｍｍとされている。
【００３３】
図７は、本発明の実施の形態である自動販売機における本体キャビネット１０の要部を拡大して示す拡大横断面図である。尚、図７においては、本体キャビネット１０の右側壁（一方の側壁）１２と背壁１４とを示しているが、左側壁（他方の側壁）１２や上壁１１においても同様の構成を有している。この図７に示すように、断熱パネル２１と本体キャビネット１０の内面（背壁１４の内面及び右側壁１２の内面）との間にスペーサ部材６０（第１スペーサ部６１及び第２スペーサ部６２）が介在することで、厚みｍの空気層７０が形成されている。しかも、一対の第１スペーサ部６１の間に、これら第１スペーサ部６１を互いに連結する態様で該第１スペーサ部６１の長手方向に沿って第２スペーサ部６２が所定間隔毎に配設されていることで、第１スペーサ部６１、第２スペーサ部６２、断熱パネル２１の外面及び本体キャビネット１０の内面で囲繞される空間を形成でき、かかる空間における空気層７０では空気の対流がより抑制されることとなる。
【００３４】
このような構成を有する自動販売機においては、断熱パネル２１と本体キャビネット１０との間にスペーサ部材６０が介在することで、これらの間に空気の対流を抑制する厚みｍの空気層７０を形成することができるので、かかる空気層７０が断熱層として作用し、断熱性能の向上を図ることができる。しかも、ヒレ部分２１２ａ，２１２ｂは、本体キャビネット１０の内面に対向する外面に折り曲げられており、これにより、断熱パネル２１の内面は庫内送風ファン２５ｃの駆動等により空気が積極的に循環されているために空気が対流しているが、断熱パネル２１の外面では空気の対流が抑制されているため、かかるヒレ部分２１２ａ，２１２ｂを含む断熱パネル２１の端部での熱伝達、すなわちヒートブリッジの発生を抑制することができる。従って、上記自動販売機によれば、ヒートブリッジの発生を抑制して断熱性能の向上を図ることができる。
【００３５】
また、上記自動販売機によれば、スペーサ部材６０は、一対の第１スペーサ部６１の間にこれら第１スペーサ部６１を互いに連結する態様で該第１スペーサ部６１の長手方向に沿って第２スペーサ部６２が所定間隔毎に配設されて構成されているので、第１スペーサ部６１、第２スペーサ部６２、断熱パネル２１の外面及び本体キャビネット１０の内面で囲繞される空間での空気の対流がより抑制され、断熱性能の更なる向上を図ることができる。
【００３６】
さらに、上記自動販売機によれば、上記空気層７０を形成することでヒレ部分２１２ａ，２１２ｂを折り曲げるスペースを確保することができる。
【００３７】
またさらに、上記自動販売機によれば、断熱性能の向上を図ることができるので、断熱パネル２１における真空断熱材２１０の体積を低減させても従来と同程度の断熱性能を発揮することができる。そのため、従来と同程度の断熱性能の維持を図るようにすると、真空断熱材２１０の体積を低減させることができ、製造コストの低減化を図ることができる。
【００３８】
以上、本発明の好適な実施の形態について説明したが、本発明はこれに限定されるものではなく、種々の変更を行うことができる。
【００３９】
上述した実施の形態においては、スペーサ部材６０を構成する第１スペーサ部６１は、上下方向が長手方向となるものであったが、本発明においては、第１スペーサ部は、上下方向と直交する方向、すなわち前後方向や左右方向が長手方向となる長尺状のものであっても良い。
【００４０】
上述した実施の形態においては、スペーサ部材６０は、コア被覆部分２１１ｃに配設されていたが、本発明においては、スペーサ部材は、外面のコア被覆部分に折り重なるヒレ部分に配設されてもよい。これによっても上述した実施の形態と同様の作用効果を奏することができる。
【符号の説明】
【００４１】
１０  本体キャビネット
１１  上壁
１２  側壁
１３  底壁
１４  背壁
１５  台座壁
２０  商品収容室
２１  断熱パネル
２２  断熱仕切板
２３  商品収容庫
３０  外扉
４０  内扉
２１０  真空断熱材（ＶＩＰ）
２１１  コア（芯材）
２１２  フィルム（外被材）
２１２ａ  長辺側ヒレ部分
２１２ｂ  短辺側ヒレ部分
２１２ｃ  コア被覆部分
６０  スペーサ部材
６１  第１スペーサ部
６２  第２スペーサ部
７０  空気層
【図１】
2014120135.tif 000003
【図２】
2014120135.tif 000004
【図３】
2014120135.tif 000005
【図４】
2014120135.tif 000006
【図５】
2014120135.tif 000007
【図６】
2014120135.tif 000008
【図７】
2014120135.tif 000009